【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
下記の成分をベースとする少なくとも１種の樹脂を含むことを特徴とするゴム組成物：
A1)少なくとも２個の官能基を担持する少なくとも１個の芳香環であって、これらの官能基の一方はヒドロキシメチル官能基であり、他方はアルデヒド官能基またはヒドロキシメチル官能基である芳香環を含む少なくとも１種の芳香族化合物；および
A2)下記の成分から選択される少なくとも１種のフェノール化合物：
−A21)少なくとも２個のヒドロキシル官能基を互いに対してメタ位置に担持する少なくとも１個の芳香環であって、少なくとも１個の前記ヒドロキシル官能基に対する２つのオルト位置は置換されていない芳香環を含む少なくとも１種の芳香族ポリフェノール；
−A22)単一のヒドロキシル官能基を担持する少なくとも１個の６員芳香環を含む少なくとも１種の芳香族モノフェノール、
−前記ヒドロキシル官能基に対する２つのオルト位置は置換されていないか、または
−前記ヒドロキシル官能基に対する少なくとも１つのオルト位置およびパラ位置は置換されていない；および
−それらの混合物。
【請求項２】
前記芳香族化合物A1)が一般式(II)に対応する、請求項１記載のゴム組成物：
【化１】
2019523320.tif 000001
(II)
(式中、Bは、CHOまたはCH2OHであり、Xは、O、NR1、NO、S、SO、SO2、SR2R3であり、R1は、水素、アルキル基、アリール基、アリールアルキル基、アルキルアリール基またはシクロアルキル基であり、R2およびR3は、各々互いに独立して、水素、アルキル基、アリール基、アリールアルキル基、アルキルアリール基またはシクロアルキル基である)。
【請求項３】
前記芳香族化合物A1)が、5-(ヒドロキシメチル)フルフラール、2,5-ジ(ヒドロキシメチル)フランおよびこれらの化合物の混合物からなる群から選ばれる、請求項１または２記載のゴム組成物。
【請求項４】
下記条件の一または複数を満たす、請求項１〜３のいずれか１項記載のゴム組成物：
・前記芳香族ポリフェノールの芳香環が、３個のヒドロキシル官能基を互いに対してメタ位置に担持する、
・前記芳香族ポリフェノールの芳香環について、各ヒドロキシル官能基に対する２つのオルト位置が置換されていない、
・前記芳香族ポリフェノールの芳香環の残余部が置換されていない、
・前記芳香族ポリフェノールが複数個の芳香環を含み、これらの芳香環の少なくとも２個の各々が、少なくとも２個のヒドロキシル官能基を互いに対してメタ位置に担持し、少なくとも１個の芳香環の少なくとも１個の前記ヒドロキシル官能基に対する２つのオルト位置が置換されていない、
・前記芳香族ポリフェノールの芳香環の少なくとも１個が、3個のヒドロキシル官能基を互いに対してメタ位置に担持する、
・前記芳香族ポリフェノールの少なくとも１個の芳香環の各ヒドロキシル官能基に対する２つのオルト位置が置換されていない、
・前記芳香族ポリフェノールの各芳香環の各ヒドロキシル官能基に対する２つのオルト位置が置換されていない。
【請求項５】
前記芳香族ポリフェノールが、レゾルシノール、フロログルシノール、2,2',4,4'-テトラヒドロキシジフェニルスルフィド、2,2',4,4'-テトラヒドロキシベンゾフェノンおよびこれらの化合物の混合物からなる群から選ばれ；好ましくは、前記芳香族ポリフェノールがフロログルシノールである、請求項１〜４のいずれか１項記載の組成物。
【請求項６】
前記芳香族ポリフェノールが、下記の成分をベースとする事前縮合樹脂である、請求項１〜５のいずれか１項記載の組成物：
−少なくとも２個のヒドロキシル官能基を互いに対してメタ位置に担持する少なくとも１個の芳香環であって、少なくとも１個の前記ヒドロキシル官能基に対する２つのオルト位置は置換されていない芳香環を含む少なくとも１種のポリフェノール；および
−少なくとも1個のアルデヒド官能基を含むポリフェノールと反応することのできる少なくとも１種の化合物および/または芳香環が有する少なくとも２個のヒドロキシメチル官能基を含むポリフェノールと反応することのできる少なくとも1種の化合物。
【請求項７】
下記の成分を含むことを特徴とするゴム組成物：
A1)少なくとも２個の官能基を担持する少なくとも１個の芳香環であって、これらの官能基の一方はヒドロキシメチル官能基であり、他方はアルデヒド官能基またはヒドロキシメチル官能基である芳香環を含む少なくとも１種の芳香族化合物；および
A2)下記の成分から選択される少なくとも１種のフェノール化合物：
−A21)少なくとも２個のヒドロキシル官能基を互いに対してメタ位置に担持する少なくとも１個の芳香環であって、少なくとも１個の前記ヒドロキシル官能基に対する２つのオルト位置は置換されていない芳香環を含む少なくとも１種の芳香族ポリフェノール；
−A22)単一のヒドロキシル官能基を担持する少なくとも１個の６員芳香環を含む少なくとも１種の芳香族モノフェノール、
−前記ヒドロキシル官能基に対する２つのオルト位置は置換されていないか、または
−前記ヒドロキシル官能基に対する少なくとも１つのオルト位置およびパラ位置は置換されていない；および
−それらの混合物。
【請求項８】
ゴム組成物を未硬化状態において製造するための方法であって、下記の成分を混合する工程を含むことを特徴とする、前記方法：
−A1)少なくとも２個の官能基を担持する少なくとも１個の芳香環であって、これらの官能基の一方はヒドロキシメチル官能基であり、他方はアルデヒド官能基またはヒドロキシメチル官能基である芳香環を含む少なくとも１種の芳香族化合物；および
−A2)下記の成分から選択される少なくとも１種のフェノール化合物：
−A21)少なくとも２個のヒドロキシル官能基を互いに対してメタ位置に担持する少なくとも１個の芳香環であって、少なくとも１個の前記ヒドロキシル官能基に対する２つのオルト位置は置換されていない芳香環を含む少なくとも１種の芳香族ポリフェノール；
−A22)単一のヒドロキシル官能基を担持する少なくとも１個の６員芳香環を含む少なくとも１種の芳香族モノフェノール、
−前記ヒドロキシル官能基に対する２つのオルト位置は置換されていないか、または
−前記ヒドロキシル官能基に対する少なくとも１個のオルト位置およびパラ位置は置換されていない；
−それらの混合物；および
−少なくとも1種のエラストマー。
【請求項９】
ゴム組成物を硬化状態において製造するための方法であって、下記の工程を含むことを特徴とする、前記方法：
−下記の成分を混合する工程を含むゴム組成物を未硬化状態において製造する工程；
−A1)少なくとも２個の官能基を担持する少なくとも１個の芳香環であって、これらの官能基の一方はヒドロキシメチル官能基であり、他方はアルデヒド官能基またはヒドロキシメチル官能基である芳香環を含む少なくとも１種の芳香族化合物；および
−A2)下記の成分から選択される少なくとも１種のフェノール化合物：
−A21)少なくとも２個のヒドロキシル官能基を互いに対してメタ位置に担持する少なくとも１個の芳香環であって、少なくとも１個の前記ヒドロキシル官能基に対する２つのオルト位置は置換されていない芳香環を含む少なくとも１種の芳香族ポリフェノール；
−A22)単一のヒドロキシル官能基を担持する少なくとも1個の６員芳香環を含む少なくとも１種の芳香族モノフェノール、
−前記ヒドロキシル官能基に対する２つのオルト位置は置換されていないか、または
−前記ヒドロキシル官能基に対する少なくとも１個のオルト位置およびパラ位置は置換されていない；および
−それらの混合物、
−その後、前記ゴム組成物を未硬化状態において成形する工程、
−その後、前記フェノール化合物A2)および前記芳香族化合物A1)をベースとする樹脂を架橋させる間に前記ゴム組成物を架橋する工程。
【請求項１０】
請求項１〜６のいずれか１項記載のゴム組成物を含むことを特徴とする、タイヤ(１)。